(57)【要約】      （修正有）【課題】暗い環境において、まぶしさを感じることなく、表示部の視認性が高い字光式ナンバープレートを構成するバックライトモジュールを提供する。【解決手段】発光ダイオード素子を光源として用いた、字光式ナンバープレート用のバックライトモジュールであって、発光ダイオード素子の発光色の色度座標（ｘ／ｙ）が、ＣＩＥ色度図において、０．２８５／０．２６４、０．２８５／０．３３２、０．４４０／０．３８２、０．４４０／０．４３２の４座標で囲まれる範囲内であって、ｘが０．４１以上、ｙが０．４０以上である。【選択図】図３
0003231497.tif 000002
【実用新案登録請求の範囲】
【請求項１】
発光ダイオード素子を光源として用いた、字光式ナンバープレート用のバックライトモジュールであって、
発光色の色度座標（ｘ／ｙ）が、ＣＩＥ色度図において、０．２８５／０．２６４、０．２８５／０．３３２、０．４４０／０．３８２、０．４４０／０．４３２の４座標で囲まれる範囲内であって、ｘが０．４１以上、ｙが０．４０以上の領域内に位置することを特徴とするバックライトモジュール。
【請求項２】
浅い箱型のケースと、導光板と、光拡散板とを有し、前記発光ダイオード素子が複数個、一列に配置されていることを特徴とする請求項１に記載のバックライトモジュール。
【考案の詳細な説明】
【技術分野】
【０００１】
本考案は、字光式ナンバープレートに用いられるバックライトモジュールに関する。
【背景技術】
【０００２】
字光式ナンバープレートは、文字や数字、記号などの表示部を配した表示プレートの背面からバックライトモジュールより光を照射し、表示部の視認性を高めたものであり、バックライトモジュールとしては、一般的に使用される白色ＬＥＤ（発光ダイオード）などの発光素子を光源に用い、該光源からの光を出射面から均一に放出するための、導光板、光反射板、光拡散板などの光学部品から構成されている。例えば、特許文献１には、浅い箱型のケースの側壁に沿って複数のＬＥＤ素子を配置し、該ＬＥＤ素子からの光を導光板を介してケースの開口側に向け、さらには、光拡散板によって拡散させる構成が開示されている。
【先行技術文献】
【特許文献】
【０００３】
【特許文献１】特開２０１３−８８６４４号公報
【考案の概要】
【考案が解決しようとする課題】
【０００４】
一般的に知られるバックライトモジュールは、光源からの光をそのまま導光板や光拡散板を通して出射しており、文字や数字などの表示部の視認性は、バックライトモジュールからの光量を増減することで調整されていた。しかしながら、表示部の視認性は該表示部から出射する光量によって左右され、光量が少なすぎると表示部が暗く、視認性は低く、光量を多くしていくと表示部は明るくなり、視認性が向上するものの、表示部からの光量が多過ぎると、夜間の暗い環境下では、人間の目にはまぶしく見え、視認性が低下してしまうという問題が有った。
【０００５】
本考案の課題は、暗い環境において、視認性の高い字光式ナンバープレートを構成するバックライトモジュールを提供することにある。
【課題を解決するための手段】
【０００６】
本考案は、発光ダイオード素子を光源として用いた、字光式ナンバープレート用のバックライトモジュールであって、
発光色の色度座標（ｘ／ｙ）が、ＣＩＥ色度図において、０．２８５／０．２６４、０．２８５／０．３３２、０．４４０／０．３８２、０．４４０／０．４３２の４座標で囲まれる範囲内であって、ｘが０．４１以上、ｙが０．４０以上の領域に位置することを特徴とする。
【０００７】
本考案においては、以下の構成を好ましい態様として含む。
浅い箱型のケースと、導光板と、光拡散板とを有し、前記発光ダイオード素子が複数個、一列に配置されている。
【考案の効果】
【０００８】
本考案によると、バックライトモジュールから出射される光の色調が調整されていることにより、適度な光量でまぶしさを感じることなく、表示部の高い視認性が得られる。また、本考案は、従来のバックライトモジュールに用いるＬＥＤ素子の発光色を変える、或いは光学フィルタを用いることにより、容易に実施することができる。
【図面の簡単な説明】
【０００９】
【図１】本考案のバックライトモジュールの一実施形態の構成部品を示す平面図である。
【図２】図１の構成部品を組み上げたバックライトモジュールの断面模式図である。
【図３】字光式ナンバープレートの光源の色調の規格を示すｘｙ色度図である。
【考案を実施するための形態】
【００１０】
本考案者が種々検討した結果、暗い環境での表示部の視認性は、該表示部の周囲からの光量だけでなく、色調によっても大きく左右され、バックライトモジュールから出射される光の色調を調整することによって、表示部の視認性を高めることができることを見出し、本考案を達成した。
【００１１】
即ち、本考案は、字光式ナンバープレート用のバックライトモジュールであって、発光色の色度座標（ｘ／ｙ）が、ＣＩＥ色度図において、０．２８５／０．２６４、０．２８５／０．３３２、０．４４０／０．３８２、０．４４０／０．４３２の４座標で囲まれる範囲内であって、ｘが０．４１以上、ｙが０．４０以上の領域に位置することに特徴を有する。
【００１２】
字光式ナンバープレートは、薄い板状のバックライトモジュールと、薄い板状の表示プレートとを有している。表示プレートは、透光性表示部と遮光性基板とを有し、遮光性基板は、金属等の遮光性材料で構成された板状体で、透光性表示部を取り付けるための打ち抜き孔が形成される。透光性表示部は、ナンバープレートの表示内容である地名表示、数字で示される分類番号、平仮名で示される用途表示、及び数字とハイフンで示される車両番号を立体的にかたどったもので、透光性合成樹脂で構成され、頂面が遮光され、該頂面に続く側面及び底面が透光性である。係る透光性表示部は、打ち抜き孔を介して前面（外面）側に突出させて、遮光性基板に取り付けられている。
【００１３】
上記構成により、バックライトモジュールからの表示プレートに入射した光は、透光性表示部の底面から表示部内に入射し、側面から出射する。よって、透光性表示部の遮光された頂面の周囲がバックライトからの光で囲まれて、高い視認性が得られる。
【００１４】
以下、本考案のバックライトモジュールについて、図面を参照して説明する。
図１は、本考案のバックライトモジュールの一実施形態の構成部品を示す平面図であり、図２は、図１の構成部品を組み上げたバックライトモジュールの、図１中のＡ−Ａ’部位に相当する断面模式図である。
【００１５】
本考案のバックライトモジュールは、光源として発光ダイオード（ＬＥＤ）素子を有しており、図１の実施形態においては、ＬＥＤ素子を複数個、所定の距離を介して一列に並べたＬＥＤアッセンブリを用いている。
【００１６】
図１の実施形態においては、さらに、ケース１０と導光板２０と光拡散板４０とを有している。ケース１０は、合成樹脂製の浅い箱型であり、内部にＬＥＤアッセンブリ３０と導光板２０とを収容し、開口部が光拡散板４０で覆われる。ＬＥＤアッセンブリ３０は、ケース１０の一側面の内側に沿って配置される。ケース１０の底面の内側表面、即ち導光板２０に向かう側の表面は光反射機能を有し、裏面はバックライトモジュールの裏面として機能する。合成樹脂に白色顔料を混入させて構成する場合もある。
【００１７】
図１の実施形態では、ケース１０において、導光板２０とＬＥＤアッセンブリ３０、及びＬＥＤアッセンブリ３０の配線を配置する領域の底面を凹部１１としている。また、１４は補強用のリブ、１３はバックライトモジュールと表示プレート（不図示）と一体化するためのネジ穴、１５はＬＥＤアッセンブリ３０の配線３１をケース１０から外部に引き出すための引き回し穴である。
【００１８】
導光板２０は、該導光板２０の端部に設けられたＬＥＤアッセンブリ３０からの光を、バックライトモジュールの表面から出射させるために導光する透明板で、アクリル樹脂、ＣＯＰなどの高透明性樹脂で構成される。端部側面から入射した光を、バックライトモジュール表面からほぼ垂直方向に均一に出射させるためには、導光板２０の表面に、表面加工により形成される小さなドット状の凹凸や、高光反射性の樹脂からなる白色インキで構成される印刷ドットを、ＬＥＤアッセンブリ３０からの距離などに応じて適切な密度で配置する。
【００１９】
図１の導光板２０には、用途表示と車両番号の個々の文字、数字、ハイフンの間に、光路遮断用の孔部２１が設けられており、係る孔部２１で区分された領域に対応するＬＥＤ素子が故障した場合には、対応する領域の文字や数字が暗くなることで、故障が容易に視認されるように構成されている。尚、ケース１０の底面には、係る孔部２１に対応する凸部１２が形成されており、ケース１０に導光板２０を載置した際に、孔部２１に凸部１２が嵌合されて、導光板２０を所定の位置に載置でき、且つ、ケース１０内に導光板２０を固定できるように構成されている。
【００２０】
光拡散板４０は、導光板２０からの光を、より均一に出射するために光拡散機能を有するだけでなく、バックライトモジュール内部に水が浸入してＬＥＤアッセンブリ３０が破損しないよう、気密性を維持するために、外周部において、接着剤や溶着加工等によりケース１０に接合されている。光拡散機能は透明樹脂中に、基材樹脂とは屈折率の異なる粒子状拡散材や気泡を混ぜることで得られる。また、光拡散板４０の光出射側の表面の、地名及び分類番号に対応する領域４２（破線で囲まれた領域）には、輝度調整のため、遮光印刷を施している。４１は、上記した、バックライトモジュールと表示プレートとを一体化するためのねじ穴である。
【００２１】
図１に示したバックライトモジュールは、ケース１０内に導光板２０とＬＥＤアッセンブリ３０とを収納し、光拡散板４０で覆った上に防塵クッション５０を介して表示プレート（不図示）を載置して、ネジ穴１３、４１、及び表示プレートに設けられたネジ穴にネジを通して一体化される。
【００２２】
図３に、字光式ナンバープレートの発光色の色度座標の規格を示す。図３は、ＣＩＥ（１９３１）の色度図であり、図中の破線で示す領域が、字光式ナンバープレートの発光色の規格領域であり、以下の４座標で囲まれる領域である。
ｘ／ｙ：０．２８５／０．２６４、０．２８５／０．３３２、０．４４０／０．３８２、０．４４０／０．４３２
【００２３】
本考案のバックライトモジュールは、発光色の色度座標（ｘ／ｙ）が、図３中の破線で示される範囲内であって、さらに、ｘが０．４１以上、ｙが０．４０以上の領域に位置する。係る領域に色度座標を有する発光色は淡黄色である。淡黄色の範囲としては、上記範囲内で適宜選択されるが、まぶしさを低減して表示部の視認性を高めるためには、表示プレートの遮光性基板が黄色であることから、消色系として比較的色温度の低い黄色系とすることが好ましい。中でも、赤色系よりも黄色系の方が視認性が高く、色度座標の規格の範囲内で、ｘが０．４１以上で、ｙが黒体放射軌跡（図３中の２０００〜１５０００の数値が記載された曲線）以上とすることが好ましい。
【００２４】
本考案では、最も汎用的な光源としてＬＥＤ素子を用いており、有機、無機のいずれのＬＥＤ素子でも構わない。また、上記実施形態においては、ＬＥＤ素子を線状に配置したＬＥＤアッセンブリを用いた例を示したが、光源としては面光源であってもよい。
【００２５】
また、本考案においては、バックライトモジュールの発光色が、本考案に規定した色度座標の範囲内に位置すればよく、具体的な実施形態は限定されない。例えば、係る色度座標内の発光色のＬＥＤ素子を用いるか、或いは、ＬＥＤ素子の発光色を光学フィルタによって調整しても構わない。光学フィルタを用いる場合には、発光色の色度座標が上記規格の範囲外のＬＥＤ素子であっても用いることができる。
【実施例】
【００２６】
図１の構成部品からなる図２の構成のバックライトモジュールを作製した。ＬＥＤアッセンブリ３０のＬＥＤ素子には、発光色が白色〜黄色の４種の素子を用い、バックライトモジュールの中心部の正面輝度が４００ｃｄ／ｍ2となるようにＬＥＤアッセンブリ３０への電源電流を調整し、発光色の色度座標を測定した。測定後、既存の表示プレートを装着して字光式ナンバープレートを作製し、字光式ナンバープレートに求められる暗室内での評価規格の２０ｍよりも１０ｍ遠い、３０ｍ離れた位置から表示部の読み取りやすさを評価した。評価者は視力の異なる５人とし、はっきり確認できる場合を「３」、確認できる場合を「２」、確認しづらい場合を「１」として評価した。各バックライトモジュールの発光色の色度座標を表１に、字光式ナンバープレートの評価結果を表２に示す。
【００２７】
【表１】
0003231497.tif 000003
【００２８】
【表２】
0003231497.tif 000004
【００２９】
表２に示すように、発光色が白色である比較例１に比べて、発光色が電球色である比較例２は視認性が向上するものの、発光色が黄色である実施例１や実施例２に比べるとまぶしさがあり、黄色みの強い実施例１、実施例２の方が視認性は高かった。
【符号の説明】
【００３０】
１０：ケース、１１：凹部、１２：凸部、１３：ネジ穴、１４：リブ、１５：配線引き回し穴、２０：導光板、２１：孔部、３０：ＬＥＤアッセンブリ、３１：配線、４０：光拡散板、４１：ネジ穴、４２：遮光印刷、５０：防塵クッション
【図１】
0003231497.tif 000005
【図２】
0003231497.tif 000006
【図３】
0003231497.tif 000007
【手続補正書】
【提出日】令和3年2月4日(2021.2.4)
【手続補正１】
【補正対象書類名】実用新案登録請求の範囲
【補正対象項目名】請求項１
【補正方法】変更
【補正の内容】
【請求項１】
発光ダイオード素子を光源として用いた、字光式ナンバープレート用のバックライトモジュールであって、
前記発光ダイオード素子として、発光色の色度座標（ｘ／ｙ）が、ＣＩＥ色度図において、０．２８５／０．２６４、０．２８５／０．３３２、０．４４０／０．３８２、０．４４０／０．４３２の４座標で囲まれる範囲内であって、ｘが０．４１以上、ｙが０．４０以上の発光ダイオード素子を用い、
発光色の色度座標（ｘ／ｙ）が、ＣＩＥ色度図において、０．２８５／０．２６４、０．２８５／０．３３２、０．４４０／０．３８２、０．４４０／０．４３２の４座標で囲まれる範囲内であって、ｘが０．４１以上、ｙが０．４０以上であることを特徴とするバックライトモジュール。
【手続補正２】
【補正対象書類名】明細書
【補正対象項目名】０００６
【補正方法】変更
【補正の内容】
【０００６】
本考案は、発光ダイオード素子を光源として用いた、字光式ナンバープレート用のバックライトモジュールであって、
前記発光ダイオード素子として、発光色の色度座標（ｘ／ｙ）が、ＣＩＥ色度図において、０．２８５／０．２６４、０．２８５／０．３３２、０．４４０／０．３８２、０．４４０／０．４３２の４座標で囲まれる範囲内であって、ｘが０．４１以上、ｙが０．４０以上の発光ダイオード素子を用い、
発光色の色度座標（ｘ／ｙ）が、ＣＩＥ色度図において、０．２８５／０．２６４、０．２８５／０．３３２、０．４４０／０．３８２、０．４４０／０．４３２の４座標で囲まれる範囲内であって、ｘが０．４１以上、ｙが０．４０以上であることを特徴とする。